(57)【要約】【課題】  タンク内のフロート装置から使用可能なタンク内の液面高さの差を極力少なくしても、洗剤の泡立ちなどによるフロート装置の誤動作が起きにくくした、小型で比較的大容量の床面洗浄機用洗浄水タンク装置を提供する。【解決手段】  床面洗浄機１に取付けて使用する洗浄水タンク１０の内部に、タンク内に収容されている洗浄水ＷＴの貯水量を調整するフロート装置２０と、洗浄後の汚水を遠心方向で、且つ、上記タンク内に収容されている洗浄水ＷＴの液面に対して平行方向に旋回させることができるサイクロン装置３０を設ける。【選択図】    図３
2008154909.tif 000002
【特許請求の範囲】
【請求項１】
洗浄水タンクからポンプを用いて洗浄水を床面に給水して洗浄を行い、洗浄後の汚水をブロアーの吸引作用によって床面より吸い取って上記の洗浄水タンクに送り戻すことにより、洗浄水を循環使用するように構成した床面洗浄機において、
上記洗浄水タンクの内部に、上記ブロアーの吸引作用によってタンク側面に設けた吸水口から送り込まれて来る洗浄後の汚水を、遠心方向で、且つ、タンク内に収容されている洗浄水の液面に対して平行方向に旋回させることができるサイクロン装置を設けたことを特徴とする床面洗浄機用洗浄水タンク装置。
【請求項２】
前記洗浄水タンクの内部に、洗浄水の液面レベルが上限レベルラインを越えると、前記ブロアーに通じるフロートパイプを塞ぐフロート装置を設け、この上限レベルラインと、前記サイクロン装置の周面に開口形成されている汚水排出口の下端縁のラインとを、同一若しくは略同一レベルに構成したことを特徴とする請求項１に記載の床面洗浄機用洗浄水タンク装置。
【請求項３】
前記サイクロン装置の周面に開口形成されている汚水排出口が、複数設けられていることを特徴とする請求項１又は２に記載の床面洗浄機用洗浄水タンク装置。
【請求項４】
前記洗浄水タンクの平断面形状を矩形状に形成して、この洗浄水タンク内に設けた前記サイクロン装置の周面に開口形成されている汚水排出口の位置を、この排出口から排出される洗浄後の汚水が上記洗浄水タンクの内壁面に対して直角方向、若しくは、洗浄水タンクの四隅コーナー部分に向けて排出される位置に設けたことを特徴とする請求項１、２又は３に記載の床面洗浄機用洗浄水タンク装置。
【請求項５】
床面洗浄機に対して取り外し自在に構成した前記洗浄水タンクの全体を、上下に分割可能で、且つ、タンクファスナーによって一体化される上蓋タンク体と貯水タンク体とによって構成し、上蓋タンク体の内部には前記サイクロン装置とフロート装置とを横並びに取付けて、上記の洗浄水タンクを床面洗浄機に取付ける使用運転時には、これ等サイクロン装置とフロート装置とが水平状態を成すように床面洗浄機に取付けて使用すると共に、上記貯水タンク体の上面側の一部に、上記の上蓋タンク体を取り外すと開口するタンク開口部を設けて、上記使用運転時におけるこのタンク開口部の最低位の高さレベルが、前記フロート装置のフロート上限動作高さ以下であり、且つ、前記サイクロン装置に設けられている汚水排出口の下端縁のラインと同一、又は、略同一レベルに構成される一方、上記貯水タンク体の底部には、床面洗浄機から取り外した洗浄水タンクの全体を、上記開口部を上向きにして床面上に載置することができる背部傾斜面を設けて、上記の開口部とこの背部傾斜面とを上下平行に形成したことを特徴とする請求項１、２、３又は４に記載の床面洗浄機用洗浄水タンク装置。
【請求項６】
前記サイクロン装置に設けた汚水排出口の上端縁のラインよりも高い位置に、前記フロート装置の前記洗浄水タンクに通じる吸気口が設けられていることを特徴とする請求項１、２、３、４又は５に記載の床面洗浄機用洗浄水タンク装置。
【発明の詳細な説明】
【技術分野】
【０００１】
本発明は、床面洗浄機に使用される洗浄水と、洗浄後の汚水を収容するための洗浄水タンク装置に関するものであって、具体的には、洗剤を混合した洗浄水を出水可能に構成する一方、洗浄後の汚水を回収して循環使用するように構成した循環式洗浄水タンク装置に関するものである。
【背景技術】
【０００２】
近年、コンビニエンスストアなどの小型店舗で使用される手軽で小型の床面洗浄機が求められてきている。具体的には、夜間に顧客が空いた時間帯に手軽に床面の清掃や洗浄が可能で、洗浄水と洗剤の準備や、回収した汚水の処理などに手間取らないような、手軽な床面洗浄機が必要とされている。
【０００３】
しかし、洗剤を混合した洗浄水を予め供給タンクに準備し、洗浄水を供給しながら清掃中の汚水を回収して前記の供給タンクに戻す循環式の洗浄水タンクにおいては、洗浄中に洗剤が泡立ってきて水位が上がり、ブロアーモータ側に泡や水が吸引されて、ブロアーモータの故障を引き起こす危険性があった。
【０００４】
そこで本出願人は、特許文献１に見られるように、洗剤等の泡がオーバーフローした場合でも、フロートを確実に動作させて、ブロアーモータ側への泡や水の吸引を防止するように構成した吸水器用フロ−ト装置を開発した。
【特許文献１】特開２００１−９５７３１号公報
【発明の開示】
【発明が解決しようとする課題】
【０００５】
ところが、上記特許文献１に記載の「吸水器用フロート装置」では、洗浄水の水位が満杯になる前に、ある程度の水位に達してくると、吸引された汚水の飛沫と吸引気流が、吸水室の気流流入方向に沿って勢いよくタンク内に導かれるために、タンク内の洗浄水の液面が気流によって乱されて泡が大きく発生してしまい、結局は、この泡の発生によって先にフロートが動作してしまうので、タンク内に予め貯めておく洗浄水量がそこで制限されてしまう問題があった。
【０００６】
言い換えれば、洗浄水の液面からフロートの動作位置までに余裕を持たせないと、多少の泡でもすぐにフロートの安全装置が作動してしまうため、使用上極めて煩雑であった。また、そのために洗浄水容量を減らすと、循環しながら回収して使用している洗浄汚水がすぐに汚れてしまい、洗浄水そのものを交換する頻度が多くなって、却って煩雑になるといった問題があった。
【０００７】
従って、本発明の技術的課題は、タンク内のフロート装置から使用可能なタンク内の液面高さの差を極力少なくしても、洗剤の泡立ちなどによるフロート装置の誤動作が起きにくくした、小型で比較的大容量の床面洗浄機用洗浄水タンク装置を提供することである。
【課題を解決するための手段】
【０００８】
（１）  上記の技術的課題を解決するために、本発明の請求項１に係る床面洗浄機用洗浄水タンク装置は、洗浄水タンクからポンプを用いて洗浄水を床面に給水して洗浄を行い、洗浄後の汚水をブロアーの吸引作用によって床面より吸い取って上記の洗浄水タンクに送り戻すことにより、洗浄水を循環使用するように構成した床面洗浄機において、上記洗浄水タンクの内部に、上記ブロアーの吸引作用によってタンク側面に設けた吸水口から送り込まれて来る洗浄後の汚水を、遠心方向で、且つ、タンク内に収容されている洗浄水の液面に対して平行方向に旋回させることができるサイクロン装置を設けたことを特徴としている。
【０００９】
（２）  また、本発明の請求項２に係る床面洗浄機用洗浄水タンク装置は、前記洗浄水タンクの内部に、洗浄水の液面レベルが上限レベルラインを越えると、前記ブロアーに通じるフロートパイプを塞ぐフロート装置を設け、この上限レベルラインと、前記サイクロン装置の周面に開口形成されている汚水排出口の下端縁のラインとを、同一若しくは略同一レベルに構成したことを特徴としている。
【００１０】
（３）  また、本発明の請求項３に係る床面洗浄機用洗浄水タンク装置は、前記サイクロン装置の周面に開口形成されている汚水排出口が、複数設けられていることを特徴としている。
【００１１】
（４）  また、本発明の請求項４に係る床面洗浄機用洗浄水タンク装置は、前記洗浄水タンクの平断面形状を矩形状に形成して、この洗浄水タンク内に設けた前記サイクロン装置の周面に開口形成されている汚水排出口の位置を、この排出口から排出される洗浄後の汚水が上記洗浄水タンクの内壁面に対して直角方向、若しくは、洗浄水タンクの四隅コーナー部分に向けて排出される位置に設けたことを特徴としている。
【００１２】
（５）  更に、本発明の請求項５に係る床面洗浄機用洗浄水タンク装置は、床面洗浄機に対して取り外し自在に構成した前記洗浄水タンクの全体を、上下に分割可能で、且つ、タンクファスナーによって一体化される上蓋タンク体と貯水タンク体とによって構成し、上蓋タンク体の内部には前記サイクロン装置とフロート装置とを横並びに取付けて、上記の洗浄水タンクを床面洗浄機に取付ける使用運転時には、これ等サイクロン装置とフロート装置とが水平状態を成すように床面洗浄機に取付けて使用すると共に、上記貯水タンク体の上面側の一部に、上記の上蓋タンク体を取り外すと開口するタンク開口部を設けて、上記使用運転時におけるこのタンク開口部の最低位の高さレベルが、前記フロート装置のフロート上限動作高さ以下であり、且つ、前記サイクロン装置に設けられている汚水排出口の下端縁のラインと同一、又は、略同一レベルに構成される一方、上記貯水タンク体の底部には、床面洗浄機から取り外した洗浄水タンクの全体を、上記開口部を上向きにして床面上に載置することができる背部傾斜面を設けて、上記の開口部とこの背部傾斜面とを上下平行に形成したことを特徴としている。
【００１３】
（６）  加えて、本発明の請求項６に係る床面洗浄機用洗浄水タンク装置は、前記サイクロン装置に設けた汚水排出口の上端縁のラインよりも高い位置に、前記フロート装置の前記洗浄水タンクに通じる吸気口を設けたことを特徴としている。
【００１４】
上記（１）で述べた手段によれば、タンク内に流入する吸引空気と洗浄後の汚水の飛沫は、勢いがよいものほどサイクロン装置によるサイクロン作用により遠心方向に流れるようにするため、サイクロン装置の外周部の汚水排出口からタンク内に流入するものがほとんどとなり、勢いが無いまま回収された洗浄後の汚水のみがタンク内の液面に直接流れ込むのことになるので、液面を泡立たせる現象を極めて少なくすることができる。
【００１５】
上記（２）で述べた手段によれば、洗浄水タンク内に設けたフロート装置の上限レベルラインと、サイクロン装置の洗浄汚水排出口の下端縁ラインとが、同一又は略同一に構成されているため、洗浄水タンク内の洗浄水容量を極力大きくすることを可能にする。
【００１６】
上記（３）で述べた手段によれば、洗浄水タンク内に吸引空気と共に流入する洗浄汚水の飛沫の勢いが、複数の排出口によって分散されるため、泡の発生を更に少なくすることを可能にする。
【００１７】
上記（４）で述べた手段によれば、洗浄水タンク内に流入する吸引空気と洗浄汚水の飛沫が、洗浄水タンク内の洗浄水の液面に達するよりも先に、タンクの内壁面か、四隅コーナーに衝突することでその勢いが更に滅衰するため、泡の発生を更に少なくすることができる。
【００１８】
上記（５）で述べた手段によれば、洗浄水タンク内に洗浄水を貯水する際に、貯水タンク体の開口部の最低位レベル以上は水を貯められず、その高さがフロート動作高さ以下であり、且つ、サイクロン装置における排出口の下端高さであるため、洗浄水タンク内に貯水する量の目安を示したゲージを見なくても、タンク底面に平行な開口部まで一杯に入れた状態で動作可能であり、同様に、給水時に貯水タンク体を安定的に置いて給水した場合でも、背部傾斜面に平行な開口部まで一杯に入れた状態で動作可能であるために、給水時のタンクの姿勢を気にする必要もなく、使用者が水を入れすぎてフロート装置がすぐに誤動作する様なこともない。
【００１９】
加えて上記（６）で述べた手段によれば、サイクロン装置の排出口よりも更に高い位置にフロート装置側の吸気口があるため、サイクロン装置の汚水排出口からタンク内に流入する吸引空気と一緒に流入する洗浄汚水の飛沫が、直接フロート装置内に流入することが無く、洗浄汚水の飛沫がブロアー側へ吸引されてブロアーモータの故障を引き起こす不具合の可能性も極めて低く抑えることができる。
【発明の効果】
【００２０】
以上述べた次第で、本発明に係る床面洗浄機用洗浄水タンク装置によれば、タンク内のフロート装置から使用可能なタンク内の液面高さの差を極力少なくしても、洗剤の泡立ちなどによるフロート装置の誤動作が起きにくく、小型で比較的大容量の洗浄水タンク装置を提供することが可能となると共に、洗剤を混合した洗浄水を貯めたタンクを用いて手軽に床面の洗浄ができるため、小型で洗浄水の排水や交換の頻度も少ない床面洗浄機が実現できるものであって、コンビニエンスストアなどの小型店舗に使用して好適であり、各種形式の循環式洗浄水タンク装置に利用して頗る有益なものである。
【発明を実施するための最良の形態】
【００２１】
以下に、本発明に係る床面洗浄機用洗浄水タンク装置の実施の形態を図面と共に説明すると、図１は本発明が実施された床面洗浄機１の一例を示した斜視図であって、図中、１Ａと１Ｂは機体１Ｚの上面を覆う上面カバー体、１Ｒは走行用車輪、２は上面カバー体１Ａの内部に取付けたブロアー、２Ｍはブロアー用モータ、符号１０で全体的に示したのは、止め金具１４，１４（取付ファスナー）によって機体１Ｚの後部に対して着脱自在に構成した本発明に係る洗浄水タンクであって、洗浄水タンク１０の全体は、図２乃至図６に示すように上下に分割可能で、且つ、タンクファスナー１３によって密閉状態に一体化される貯水タンク体１１と上蓋タンク体１２とによって構成されている。また、以上の如く構成した洗浄水タンク１０の全体は、内部が視覚確認可能なように、透明又は半透明の材質で構成されている。
【００２２】
次に、９は床面洗浄機１の後部に取付けた操作部を保持する運転用のハンドル部であって、図１に示した床面洗浄機１では、ハンドル部９が前後方向に自在に屈折して運転操作をしやすくすると共に、図に示すようにハンドル部９を鉛直に立てて不使用時の保管場所面積を少なくし、図示しないが、ハンドル部９を前側に倒して洗浄水タンク１０を外し、その状態で全体を鉛直に立てることで、保管面積をより少なくできる様に工夫されている。
【００２３】
更に図１において、５は上記上面カバー体１Ｂの内部において、モータ５Ｍによって回転して床面を洗浄する洗浄ブラシ、６は洗浄ブラシ５の上面側を覆って汚水（洗浄水）の飛散を防止するカバー部、４は前記洗浄水タンク１０内に及ぶ前記ブロアー２による吸引作用を、上記洗浄ブラシ５の前後に分岐して下向きに開口した前後の吸引通路４Ａ，４Ｂに連通して上記カバー部６の内部に及ぼすことにより、上記洗浄ブラシ５の回転によって発生し、且つ、前後のスキージ７Ａ，７Ｂによって掻き集められた洗浄後の汚水を、前記洗浄水タンク１０内に吸引する吸引ホース、８Ｐは洗浄水タンク１０内に溜め込まれた洗浄水ＷＴを、可撓性の吸水ホース８Ａ及び散水パイプ８を通して上記洗浄ブラシ５に給水する給水ポンプである。
【００２４】
尚、図１において太線矢印で示したのは洗浄後の汚水を含んだ流入空気の流入（吸引）方向を示し、２点鎖線の太線矢印で示したのは、汚水を分離した空気の流出方向で、鎖線の太線矢印は洗浄水ＷＴの給水方向を示す。
【００２５】
図２は本発明に係る床面洗浄機用洗浄水タンク装置の外観を示した斜視図、図３はその内部構造を透視して説明した構成図、図４は下記図５（イ）のＹ−Ｙ線に沿った洗浄水タンク１０の平断面図、図５（イ）は上記図４のＸ−Ｘ線に沿った洗浄水タンク１０の正断面図、図５（ロ）はその側面図を示し、これ等の図面において、１１は洗浄水ＷＴを収容する貯水タンク体、１２は上蓋タンク体であって、図２並びに図３に示すように貯水タンク体１１の上面部に上蓋タンク体１２を組み付けて、両タンク体１１，１２をタンクファスナー１３で気密状態に一体化することによって、上記の洗浄水タンク１０が構成される仕組みに成っており、また、この様に組立てられた洗浄水タンク１０は、止め金具１４，１４によって機体１Ｚの後部に着脱自在に取付けられることは、前述した通りである。
【００２６】
次に、図３乃至図５において、２０と３０は上記上蓋タンク体１２の内部に取付けビス及びスペーサ２３及び３３を用いて左右横並びに取付けたフロート装置とサイクロン装置であって、フロート装置２０の外観は、全体は底面に洗浄水ＷＴの進入穴２０Ｗを開口し、上部外側面にメッシュフィルター付きの吸気口２０Ｔ…を開口形成した断面略筒状に形成されていて、内部には洗浄水ＷＴによって上下動する球状のフロート２１と、前記ブロアー２に通じる逆Ｌ字状に形成したフロートパイプ２２が設けられている。
【００２７】
以上の如く構成したフロート装置２０は、通常運転時にはブロアー２の吸引力を、図１に示した吸引ダクト３を通して上記上蓋タンク体１２のフロント側面１２Ｚに開口されているタンク排気口２２Ａより、上記フロートパイプ２２及びフロート装置２０の内部、更には、上記吸気口２０Ｔ…を通して洗浄水タンク１０の内部に及ぼしているが、洗浄水ＷＴの水位が図５（イ）に示した上限高さＬに上って、フロート２１がフロートパイプ２２の下端口２２Ｒを塞ぐと、前記タンク排気口２２Ａの通気が閉塞されて、洗浄水タンク１０内に及んでいたブロアー２の吸引力が遮断される仕組みになっている。
【００２８】
更に図中、３２…は全体が大径の断面略円筒状で、且つ、前記収容された洗浄水ＷＴの液面に対して平行に形成された上記サイクロン装置３０の外周面３１に、円周方向に間隔をあけた状態で縦長の四角状に穿孔形成された汚水排出口である。また、３０Ａは前記上蓋タンク体１２のフロント側面１２Ｚに開口形成した上記サイクロン装置３０の吸気口を兼ねる吸水口であって、フロート装置２０を経て前記洗浄水タンク１０の内部１０Ｋ（図４、図５（イ）参照）に及ぶブロアー２の吸引作用が、上記の汚水排出口３２からサイクロン装置３０の内部を通って、この吸水口３０Ａに接続した前記の吸引ホース４に及ぶため、洗浄ブラシ５の回転によって発生する洗浄後の汚水を、サイクロン装置３０を経て洗浄水タンク１０に回収することができる。
【００２９】
また、上記の如くブロアー２の吸引作用を受けてサイクロン装置３０に吸引された洗浄後の汚水は、図４に示す如くサイクロン装置３０の外周面３１に沿って旋回することになるが、この時、吸水口３０Ａから流入して来る吸引空気と洗浄後の汚水の飛沫は、勢いがよいものほどサイクロン作用によって遠心方向で、且つ、洗浄水タンク１０内に貯溜されている洗浄水ＷＴの液面に対して平行方向に旋回されるため、外周面３１に設けた汚水排出口３２…からタンク内に流入するものが殆どと成り、勢いの無い洗浄後の汚水のみがタンク内の液面に直接流れ込むことになるから、液面の泡立ち現象を極めて少なくすることができる。
【００３０】
更に、上記汚水排出口３２を外周面３１の円周方向に間隔をあけて複数設けると共に、これ等汚水排出口３２…の形成位置を、図４に示すように汚水排出口３２…から排出（飛散）される洗浄後の汚水が、平断面形状を矩形状に形成した洗浄水タンク１０の四隅コーナー部分１２Ｘ，１２Ｘに向けて排出されるか、又は、洗浄水タンク１０の内壁面に対して直角方向に排出される位置に設けることにより、各汚水排出口３２…から排出される洗浄後の汚水の勢いを減衰させて、泡の発生を更に少なくすることができる。
【００３１】
尚、図面では汚水排出口３２を２個形成しているが、これは実施の一例であって、１個若しくは３個以上の複数個であってもよく、その選択は任意とする。また、図４では汚水排出口３２からの排出方向を四隅コーナー部分１２Ｘ，１２Ｘとしているが、洗浄水タンク１０内に衝突板を設けたり、衝突部に緩衝性のある形状や材料を使用した場合でも、同様の緩衝効果を発揮することができる。
【００３２】
また、図２と図５（ロ）において、４１は洗浄水タンク１０内に配管した可撓性の洗浄水取出しホースで、この洗浄水取出しホース４１の根端部には貯溜された洗浄水ＷＴの底に沈めた埋没状態でフイルター４０が取付けられ、先端部は前記フロント側板１２Ｚに突出して、前記図１に示した吸引ホース８Ａを接続することができる洗浄水取出口４１Ａを構成している。
【００３３】
尚、図５と図６で示した様なフイルター４０の埋没位置については、通常の姿勢と図６の様に寝かせた姿勢であっても同様に液面下に埋没している位置となっているが、これはフイルター４０が頻繁に空気にさせられると、洗浄水取出口４１Ａから空気が出てしまって洗浄水ＷＴの供給が連続しなくなる、といった不具合が回避出来る様、フイルター４０が極力水の中に埋没していられる様な位置に設置されている。
【００３４】
以上の如くフロート装置２０とサイクロン装置３０を取付けた洗浄水タンク１０の全体は、止め金具１４を外すことによって床面洗浄機１の機台１Ｚより自由に取り外して上面に設けた取っ手１５を用いて持ち運ぶことが可能であり、また、上蓋タンク体１２はタンクファスナー１３を外すことによって貯水タンク体１１から自由に取り外すことが可能であり、更に、貯水タンク体１１には、上面部に上蓋タンク体１２を取り外すと開口されるタンク開口部１１Ｋが設けられている。
【００３５】
また、貯水タンク体１１の下側部には、上記床面洗浄機１から取り外し洗浄水タンク１０の全体を、図６に示すように上記タンク開口部１１Ｋを上向きにした状態で、且つ、水平状態に床面ＦＬ上に載置することができる背部傾斜面１１Ｔが、上記タンク開口部１１Ｋに対して上下平行に設けられている。
【００３６】
従って、図６に示した状態で洗浄水タンク１０を床面ＦＬ上に載置して一時的に保管したり、水道蛇口のあるシンク内に載置して上蓋タンク体１２を取り外して水道水や洗剤を補給することが可能となる。更に、図６の状態でタンク開口部１１Ｋに沿って一杯（満杯）に洗浄水を入れた後、図５（ロ）に示すような姿勢で洗浄水タンク１０を床面洗浄機１に取付けても、洗浄水ＷＴの水準が同様となるように、タンク形状が形成されている。
【００３７】
ただし、洗浄する床面ＦＬに凹凸がある場合や、移動中にスロープが有る場合、或いは、床面洗浄機１をかなり乱暴に扱う様な場合は、予めそれによる液面の暴れ（タンクや洗浄機本体の姿勢の揺れ）が大きいと予想し、図６で示した様な第１の水位ゲージＧ１や第２の水位ゲージＧ２に合わせて洗浄水ＷＴを準備したり、更に第１、第２のゲージＧ１，Ｇ２の水位に合わせた第３、第４のゲージＧ３，Ｇ４に合わせて洗浄水ＷＴを準備することで、使用状態に合わせた水位の決定が出来る様に工夫することも可能である。また、同様に使用する洗浄用洗剤の種類や濃さにより、泡の発生の仕方や泡の状態が異なるため、それに合わせてゲージを利用した注水を行うことも可能であり、この様な運用に合わせてタンク注水量を少なめにしても運用することができる。
【００３８】
尚、図５（イ）に示された符号ａで示した間隔は、前記フロート装置２０に設けた吸気口２０Ｔの下端縁（ライン）と、前記サイクロン装置３０に設けた汚水排出口３２の上端縁（ライン）との間隔を示したものであって、この様にフロート装置２０の吸気口２０Ｔをサイクロン装置３０の排出口３２よりも高い位置に配置したことで、勢いよくタンク内に流入してきた空気と一緒に流入する洗浄汚水の飛沫や、細かい泡などがフロート装置２０に進入しにくくなっており、ブロアー２に対する安全性をさらに高めている。
【００３９】
また、図５（ロ）に示すように、前述の液面の上限高さＬ（フロート２１の閉塞高さライン）よりも、符号ｂで示した高さ分低い位置にタンク水平面（開口部１１Ｋ）を設けている。これにより上蓋タンク体１２を開けた状態ではタンク（貯水側）のタンク水平面が開口部１１Ｋの最下高さになるため、この高さ以上に洗浄水ＷＴを溜めることはできない。よって、水位の確認をせずに貯水した結果、水位が上限高さＬを越えてしまい動作しない、といった不具合が回避できる。
【図面の簡単な説明】
【００４０】
【図１】本発明に係る洗浄水タンク装置を搭載した床面洗浄機の一例を示した外観図。
【図２】本発明で使用する洗浄水タンクの外観を示した斜視図。
【図３】本発明で使用する洗浄水タンクの内部構造を説明した構成図。
【図４】本発明で使用する洗浄水タンクの図５（イ）Ｙ−Ｙ線に沿った平断面図。
【図５】本発明で使用する洗浄水タンクの図４Ｘ−Ｘ線に沿った正断面図、（ロ）はその側面図。
【図６】取り外して床面上に置いた状態を示した洗浄水タンクの側面図。
【符号の説明】
【００４１】
１            床面洗浄機
２            ブロアー
４            吸引ホース
５            洗浄ブラシ
７            スキージ
８            散水パイプ
８Ｐ          給水ポンプ
９            ハンドル部
１０          洗浄水タンク
１１          貯水タンク体
１１Ｋ        開口部
１１Ｔ        背部傾斜面
１２          上蓋タンク体
１２Ｘ        貯水タンク体の四隅コーナー部分
１３          タンクファスナー
２０          フロート装置
２０Ｔ        吸気口
２１          フロート
２２          フロートパイプ
２２Ａ        タンク排気口
３０          サイクロン装置
３１          外周面
３２          汚水排出口
ＷＴ          洗浄水
ＦＬ          床面
【図１】
2008154909.tif 000003
【図２】
2008154909.tif 000004
【図３】
2008154909.tif 000005
【図４】
2008154909.tif 000006
【図５】
2008154909.tif 000007
【図６】
2008154909.tif 000008